(57)【要約】【課題】ユーザーによる設定を伴うことなく、ファイルの付加情報に基づいて分類したフォルダーでファイルにアクセスできるようにする。【解決手段】メモリーカードが挿入されたときメモリーカード内に保存されている画像ファイルの撮影年月日に基づいて年フォルダーと月フォルダーとを作成し（Ｓ１００〜Ｓ１４０）、作成したフォルダーに画像ファイルを分類することによりフォルダー構成（クラスター構成）を構築してＲＡＭ上に保存する（Ｓ１５０）。そして、ユーザーＰＣからファイルアクセス指令を受け付けたときには、ＲＡＭ上に作成したクラスター構成を用いて指定されたクラスター番号のクラスター内容を送信するから、ユーザーＰＣ側からは特別な操作を必要とすることなしに、撮影日付で分類したディレクトリー構造を用いてファイルにアクセスすることができる。【選択図】図３
2011118620.tif 000002
【特許請求の範囲】
【請求項１】
着脱可能な記憶装置に記憶されているファイルを管理するファイル管理装置であって、
前記記憶装置の装着に応じて、前記記憶装置に記憶されているファイルを取得し、該取得したファイルをフォルダーにファイルを移動することなく分類する分類手段と、
前記記憶装置に記憶されているファイルの分類結果を通知する通知手段と、
を備えるファイル管理装置。
【請求項２】
請求項１記載のファイル管理装置であって、
前記分類手段は、前記記憶装置に記憶されているファイル本体の格納場所を前記分類後のファイルの参照先に設定し、
ファイルのアクセス要求がなされたときには前記設定した参照先から対応する前記記憶装置に記憶されているファイル本体を読み込み応答するアクセス応答手段を更に備える
ファイル管理装置。
【請求項３】
前記ファイルとして画像ファイルを管理する請求項１または２記載のファイル管理装置であって、
前記分類手段は、前記取得された画像ファイルが撮影装置で撮影された撮影時期または撮影装置の製造メーカーに基づいてフォルダーを作成して前記画像ファイルを前記撮影時期または撮影装置の製造メーカーに基づいたフォルダーに分類する手段である
ファイル管理装置。
【請求項４】
ファイルを管理するファイル管理装置であって、
着脱可能な第１の記憶部から複数のファイルを取得する取得部と、
前記第１の記憶部の装着に応じて、前記第１の記憶部から取得した複数のファイルを複数の群に分類する分類部と、
複数の群の各々に対応し、前記第１の記憶部とは異なる第２の記憶部に存在するフォルダーの中に、群に分類されたファイルが存在するようにファイルシステムのデータ情報を書き換える書換部と、
前記第２の記憶部に存在するフォルダーの中のファイルに対応する取得指示を受け付ける受付部と、
前記取得指示を受け付けた場合に、該取得指示の対象であるファイルを前記取得部に前記第１の記憶部から取得させる取得対応部と、
を備えたファイル管理装置。
【発明の詳細な説明】
【技術分野】
【０００１】
本発明は、ファイル管理装置に関する。
【背景技術】
【０００２】
従来、この種のファイル管理装置としては、ユーザーから指定された情報に基づいてフォルダー構成を作成し、作成したフォルダー構成により対象ファイルを分類するものが提案されている（例えば、特許文献１参照）。この装置では、ユーザーにより指定された抽出条件（情報部品）に従って対象ファイルの付加データから文字データを抽出すると共に情報部品の並び順構成を作成し、抽出した文字データと並び順構成に基づいてフォルダー構成を作成し、作成したフォルダー構成を用いて対象ファイルまでのフォルダーの並びを示すファイルパスデータを作成し、作成したファイルパスデータに基づいて対象ファイルを分類しており、これにより、ファイルの数が増えてもファイルを容易に分類することができるとしている。
【先行技術文献】
【特許文献】
【０００３】
【特許文献１】特開２００８−２６９０７９号公報
【発明の概要】
【発明が解決しようとする課題】
【０００４】
しかしながら、ファイルの数がさらに増えると、ユーザーによってはフォルダー構成を作成するための条件を設定する作業すら煩わしいと感じさせる場合もあり、こうしたユーザーに対してさらなる作業負担の低減が求められている。
【０００５】
本発明のファイル管理装置は、ユーザーによる設定を伴うことなく、ファイルの分類結果を取得することができるようにすることを主目的とする。
【０００６】
本発明のファイル管理装置は、上述の主目的を達成するために以下の手段を採った。
【課題を解決するための手段】
【０００７】
本発明の第１のファイル管理装置は、
着脱可能な記憶装置に記憶されているファイルを管理するファイル管理装置であって、
前記記憶装置の装着に応じて、前記記憶装置に記憶されているファイルを取得し、該取得したファイルをフォルダーにファイルを移動することなく分類する分類手段と、
前記記憶装置に記憶されているファイルの分類結果を通知する通知手段と、
を備えることを要旨とする。
【０００８】
この本発明の第１のファイル管理装置では、記憶装置の装着に応じて記憶装置に記憶されているファイルを取得し、取得したファイルをフォルダーにファイルを移動することなく分類し、記憶装置に記憶されているファイルの分類結果を通知する。これにより、通知される側からは特別な操作やアプリケーションの起動を必要とすることなしに、記憶装置に記憶されているファイルの分類結果を得ることができる。
【０００９】
こうした本発明の第１のファイル管理装置において、前記分類手段は、前記記憶装置に記憶されているファイル本体の格納場所を前記分類後のファイルの参照先に設定し、ファイルのアクセス要求がなされたときには前記設定した参照先から対応する前記記憶装置に記憶されているファイル本体を読み込み応答するアクセス応答手段を更に備えるものとすることもできる。こうすれば、ファイル本体を新たに記憶することなしに、分類後のファイルからファイル本体にアクセスすることができる。
【００１０】
ファイルとして画像ファイルを管理する本発明のファイル管理装置において、前記分類手段は、前記取得された画像ファイルが撮影装置で撮影された撮影時期または撮影装置の製造メーカーに基づいてフォルダーを作成して前記画像ファイルを前記撮影時期または撮影装置の製造メーカーに基づいたフォルダーに分類する手段であるものとすることもできる。
【００１１】
本発明の第２のファイル管理装置は、
ファイルを管理するファイル管理装置であって、
着脱可能な第１の記憶部から複数のファイルを取得する取得部と、
前記第１の記憶部の装着に応じて、前記第１の記憶部から取得した複数のファイルを複数の群に分類する分類部と、
複数の群の各々に対応し、前記第１の記憶部とは異なる第２の記憶部に存在するフォルダーの中に、群に分類されたファイルが存在するようにファイルシステムのデータ情報を書き換える書換部と、
前記第２の記憶部に存在するフォルダーの中のファイルに対応する取得指示を受け付ける受付部と、
前記取得指示を受け付けた場合に、該取得指示の対象であるファイルを前記取得部に前記第１の記憶部から取得させる取得対応部と、
を備えることを要旨とする。
【００１２】
この本発明の第２のファイル管理装置では、取得部により着脱可能な第１の記憶部から複数のファイルを取得し、第１の記憶部の装着に応じて第１の記憶部から取得した複数のファイルを複数の群に分類し、複数の群の各々に対応し第１の記憶部とは異なる第２の記憶部に存在するフォルダーの中に群に分類されたファイルが存在するようにファイルシステムのデータ情報を書き換え、第２の記憶部に存在するフォルダーの中のファイルに対応する取得指示を受け付け、取得指示を受け付けた場合に取得指示の対象であるファイルを取得部に第１の記憶部から取得させる。これにより、第１の記憶部の書き換えを伴うことなく、第２の記憶部から分類後のファイルを取得することができる。
【図面の簡単な説明】
【００１３】
【図１】本発明の一実施形態であるプリントシステム１０の構成図。
【図２】メモリーカードＭＣのフォルダー構成の一例を示す説明図。
【図３】フォルダー構成構築処理の一例を示すフローチャート。
【図４】メモリーカードＭＣの画像ファイルのクラスター構成の一例を示す説明図。
【図５】ＲＡＭ上に作成される画像ファイルのクラスター構成の一例を示す説明図。
【図６】ディレクトリーエントリーの一例を示す説明図。
【図７】アクセス応答処理の一例を示すフローチャート。
【図８】ユーザーＰＣからメモリーカードＭＣにアクセスする様子を示す説明図。
【発明を実施するための形態】
【００１４】
次に、本発明の第１の実施の形態を図面を用いて説明する。図１は、本発明の一実施形態であるプリントシステム１０の構成の概略を示す構成図である。本実施形態のプリントシステム１０は、図示するように、ユーザーコンピューター（以下、ユーザーＰＣという）２０とプリンター３０とがＵＳＢケーブル５０により接続されたものとして構成されている。
【００１５】
プリンター３０は、装置全体の制御を司るメインコントローラー３１と、着色剤としてインクを記録紙Ｓに吐出することにより印刷を行なうプリンターユニット４０と、原稿台に載置された原稿を光学的に読み取って画像データを生成するスキャナーユニット４５と、メモリーカードスロット３７ａに挿入されたメモリーカードＭＣとの間でデータの入出力を司るメモリーカードコントローラー３７と、電源ボタンや動作モードを選択するためのモード選択ボタン，スタートボタンなどからなる操作部３８と、とを備え、これらはバス３９を介して電気的に接続されている。なお、モード選択ボタンにより選択できる動作モードとしては、原稿台の原稿を読み取るスキャンモードや原稿台の原稿を読み取って印刷を行なうコピーモード，メモリーカードＭＣに保存されている画像データを読み取って印刷を行なうメモリーカードモードなどがある。
【００１６】
プリンターユニット４０は、プリンターＡＳＩＣ４２とプリンターエンジン４４とを備える。プリンターＡＳＩＣ４２は、プリンターエンジン４４を制御する集積回路であり、メインコントローラー３１から印刷指令を受けると、印刷指令の対象となる画像ファイルに基づいて用紙に印刷するようプリンターエンジン４４を制御する。プリンターエンジン４４は、印刷ヘッドから用紙へインクを吐出することにより印刷を行なう周知のインクジェット方式のカラープリンター機構として構成されている。なお、ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの略である。
【００１７】
スキャナーユニット４５は、スキャナーＡＳＩＣ４６とスキャナーエンジン４８とを備える。スキャナーＡＳＩＣ４６は、スキャナーエンジン４８を制御する集積回路であり、メインコントローラー３１からのスキャン指令を受けると、原稿台に載置された原稿を画像データとして読み取るようスキャナーエンジン４８を制御する。また、スキャナーエンジン４８は、周知のイメージスキャナーとして構成され、原稿に向かって発光したあとの反射光をレッド（Ｒ）、グリーン（Ｇ）、ブルー（Ｂ）の各色に分解してスキャンデータとする周知のカラーイメージセンサーを備える。
【００１８】
メモリーカードコントローラー３７は、メモリーカードスロット３７ａに挿入されたメモリーカードＭＣとの間でデータのやり取りを行なうことにより、メモリーカードＭＣに保存されているファイルを読み出してメインコントローラー３１に送信したりメインコントローラー３１からの指令に応じてメモリーカードＭＣにデータを書き込んだりする。図２に、メモリーカードＭＣに記憶されている画像ファイルのフォルダー構成の一例を示す。メモリーカードＭＣのフォルダー構成は、図示するように、デジタルカメラで撮影された画像であることを示すフォルダー”ＤＣＩＭ”の中に撮影したデジタルカメラの製造メーカーを示すフォルダー”１００ＡＢＣ”が格納され、このフォルダー”１００ＡＢＣ”の中に画像ファイル”ＩＭＧ０００１．ＪＰＧ”，”ＩＭＧ０００２．ＪＰＧ”，”ＩＭＧ０００３．ＪＰＧ”が格納される。本実施形態では、画像ファイル”ＩＭＧ０００１．ＪＰＧ”，”ＩＭＧ０００２．ＪＰＧ”，”ＩＭＧ０００３．ＪＰＧ”は、Ｅｘｉｆ（EXchangeable Image File）形式で保存されており、ファイル内には撮影年月日や撮影したデジタルカメラの機種名，製造メーカー名などの付加情報が含まれている。
【００１９】
ＵＳＢコントローラ３６は、接続端子３６ａにＵＳＢケーブル５０が接続されて、ＵＳＢケーブル５０を介してユーザーＰＣ２０との間でデータのやり取りを制御するコントローラである。なお、接続端子３６ａは、ＶＢＵＳラインとＧＮＤラインの２本の電源系ラインと、Ｄ＋ラインとＤ−ラインの２本の信号系ラインとを接続可能な標準Ｂレセプタクルとして構成されている。
【００２０】
メインコントローラー３１は、ＣＰＵ３２を中心とするマイクロプロセッサーとして構成されており、各種処理プログラムを記憶したＲＯＭ３３と、一時的にデータを記憶するＲＡＭ３４と、ポーリングタイムを計測するためのタイマー３５とを備える。ＲＡＭ３４には、ユーザーＰＣ２０からの受信した指令を格納するための受信バッファーが設けられている。メインコントローラー３１は、この受信バッファー内に指令が格納されているか否かを所定時間毎に繰り返し確認するポーリング処理を実行することにより、ユーザーＰＣ２０からの指令を受け付ける。
【００２１】
ユーザーＰＣ２０は、コントローラー２１と、ディスプレイとしての表示部２５と、ＵＳＢコントローラー２６と、インターフェース（Ｉ／Ｆ）２８とを備える汎用のパーソナルコンピューターであり、図示しないＨＤＤにインストールされたプログラム（プリンタードライバー）により各種指令をプリンター３０に送信したりプリンター３０からの応答を受信したりする。プリンター３０に送信する各種指令としては、印刷を行なうための印刷指令の他、プリンター３０のメモリーカードスロット３７ａに装着されたメモリーカードＭＣに保存されているファイルにアクセスするファイルアクセス指令などがある。ＵＳＢコントローラー２６は、接続端子２６ａにＵＳＢケーブル５０が接続されて、ＵＳＢケーブ５０を介してプリンター３０との間でデータのやり取りを制御するコントローラーである。接続端子２６ａは、ＶＢＵＳラインとＧＮＤラインの２本の電源系ラインと、Ｄ＋ラインとＤ−ラインの２本の信号系ラインとを接続可能な標準Ａレセプタクルとして構成されている。
【００２２】
次に、こうして構成された本実施形態のプリンター３０の動作、特に、ユーザーＰＣ２０からのプリンター３０のメモリーカードＭＣにアクセスする際の動作について説明する。図２は、プリンター３０のメインコントローラー３１により実行されるフォルダー構成構築処理の一例を示すフローチャートである。このルーチンは、プリンター３０のメモリーカードスロット３７ａにメモリーカードＭＣが挿入されたときに実行される。
【００２３】
フォルダー構成構築処理が実行されると、メインコントローラー３１のＣＰＵ３２は、まず、メモリーカードコントローラー３７を介してメモリーカードＭＣに保存されている画像ファイルを読み込んでその撮影年月日を入力し（ステップＳ１００）、入力した撮影年月日と撮影年が同一の年フォルダーが作成済みであるか否かを判定し（ステップＳ１１０）、作成済みでないときには撮影年の年フォルダーをＲＡＭ３４上に作成し（ステップＳ１２０）、作成済みのときにはそのまま次の処理に進む。続いて、入力した撮影年月日と撮影年と共に撮影月が同一の月フォルダーが作成済みであるか否かを判定し（ステップＳ１３０）、作成済みでないときには撮影月の月フォルダーを撮影年の年フォルダーの下のフォルダーとしてＲＡＭ３４上に作成し（ステップＳ１４０）、作成済みのときにはそのまま次の処理に進む。そして、処理対象の画像ファイルを対応するＲＡＭ３４上の年フォルダー内の月フォルダーに格納することにより分類する（ステップＳ１５０）。画像ファイルを分類すると、メモリーカードＭＣ内の画像ファイルのうち未処理のものがあるか否かを判定し（ステップＳ１６０）、未処理の画像ファイルがあるときにはステップＳ１００に戻ってステップＳ１００〜Ｓ１５０の処理を繰り返し、未処理の画像ファイルがないときにはユーザーＰＣ２０に対して、メモリーカードＭＣの中身を実際のものに代えて、ＲＡＭ３４上のフォルダー構成およびクラスター構成をメモリーカードＭＣの中身として通知して（ステップＳ１７０）、フォルダー構成構築処理を終了する。
【００２４】
図４にメモリーカードＭＣ内に保存されている画像ファイルのクラスター構成の一例を示し、図４のメモリーカードＭＣに基づいてＲＡＭ３４上に作成される画像ファイルのクラスター構成の一例を図５に示す。図４中の”ＤＣＩＭ￥（２）”，”１００ＡＢＣ￥（３）”，”ＩＭＧ０００１．ＪＰＧ（４）”，”ＩＭＧ０００２．ＪＰＧ（６）”，”ＩＭＧ０００３．ＪＰＧ（８）”と図５中の”２００８（２）”，”２００９（３）”，”１月（４）”，”１０月（５）”，”１１月（６）”，”ＩＭＧ０００１．ＪＰＧ（７）”，”ＩＭＧ０００２．ＪＰＧ（９）”，”ＩＭＧ０００３．ＪＰＧ（１１）”，はディレクトリーエントリーである。ここで、図４の括弧内の数字は参照先となるメモリーカードＭＣのクラスター番号を示し、図５の括弧内の数字は参照先となるＲＡＭ３４上のクラスター番号を示す。図６にディレクトリーエントリーの構成を示す。図示するように、ディレクトリーエントリーには、ファイル名，属性，予約，ファイル作成時刻（ミリ秒部分），ファイル作成時刻，ファイル作成日付，ファイルアクセス日付，ファイル本体が存在するクラスター番号（上位１６ビット），ファイル更新日付，ファイル本体が存在するクラスター番号（下位１６ビット），ファイルサイズなどが含まれる。
【００２５】
図７は、メインコントローラー３１により実行されるアクセス応答処理の一例を示すフローチャートである。この処理は、ユーザーＰＣ２０からアクセス指令を受け付けたときに実行される。アクセス応答処理では、まず、ポーリングタイムが経過するのを待って（ステップＳ２００）、ＲＡＭ３４の受信バッファー内に指令が格納されているか否かを確認し（ステップＳ２１０）、ファイルアクセス指令が格納されていないときにはその他の処理であるか指令が受け付けられていないと判断して処理を終了し、ファイルアクセス指令以外の指令である場合には、その指令に応じた処理を行なう。また、ファイルアクセス指令が格納されているときには、図３でＲＡＭ３４上に作成したクラスター構成を用いてファイルアクセス指令によって指定されたクラスター番号または指定されたファイルの参照先クラスター番号のクラスター内容を送信して（ステップＳ２３０）、本処理を終了する。図８は、ユーザーＰＣ２０からメモリーカードＭＣにアクセスする様子を示す説明図である。このように、メモリーカードＭＣがメモリーカードスロット３７ａに挿入されたときにメモリーカードＭＣ内に保存されている画像ファイルのフォルダー構成とは異なる撮影日付でファイルを分類するフォルダー構成をＲＡＭ３４上に作成しておき、ユーザーＰＣ２０からファイルのアクセス指令を受け付けると、ＲＡＭ３４上に作成したフォルダー構成を用いて指令に応じた内容を返信するから、ユーザーＰＣ２０側からは特別な操作やアプリケーションを起動することなしに、撮影日付で分類したディレクトリー構造を用いてファイルにアクセスすることができる。なお、このときに撮影日付で分類したディレクトリー構造に基づいてファイルの作成指示が行なわれた場合には、実際にメモリーカードＭＣのどこのディレクトリーにファイルを作成すれば良いか不明であるために、エラーとする。
【００２６】
ここで、本実施形態の構成要素と本発明の構成要素との対応関係を明らかにする。本実施形態のメモリーカードコントローラー３７と図３のフォルダー構成構築処理を実行するメインコントローラー３１とが本発明の「分類手段」に相当し、本実施形態の図７のアクセス応答処理を実行するメインコントローラー３１が本発明の「通知手段」に相当する。また、本実施形態の図７のアクセス応答処理を実行するメインコントローラー３１が本発明の「アクセス応答手段」にも相当する。
【００２７】
以上説明した本実施形態のプリンター３０によれば、メモリーカードＭＣ内に保存されている画像ファイルの撮影年月日に基づいて年フォルダーと月フォルダーとを作成して画像ファイルを年毎および月毎に分類することによりフォルダー構成（クラスター構成）を構築してＲＡＭ３４上に保存しておき、ユーザーＰＣ２０からファイルアクセス指令を受け付けたときには、ＲＡＭ３４上に作成したクラスター構成を用いて指定されたクラスター番号のクラスター内容を送信するから、ユーザーＰＣ２０側からは特別な操作を必要とすることなしに、撮影日付で分類したディレクトリー構造を用いてファイルにアクセスすることができる。また、撮影日付で分類してもメモリーカードＭＣの内容は変更しないため、デジタルカメラにメモリーカードＭＣを戻した場合にデジタルカメラは分類前の続きとして撮影した画像ファイルを格納できるなど、分類前の続きとして処理を行なうことができる。
【００２８】
次に、本発明の第２の実施の形態について説明する。第１の実施の形態では、図５のように各ファイルＩＭＧ０００１．ＪＰＧ，ＩＭＧ０００２．ＪＰＧ，ＩＭＧ０００３．ＪＰＧのファイル本体をメインコントローラー３１のＲＡＭ３４上に格納し、その格納場所であるＲＡＭ３４のクラスター番号をディレクトリーエントリー”ＩＭＧ０００１．ＪＰＧ（７）”，”ＩＭＧ０００２．ＪＰＧ（９）”，”ＩＭＧ０００３．ＪＰＧ（１１）”に登録するものとしているが、本実施形態では、これに代えて、各ファイルのファイル本体をメインコントローラー３１のＲＡＭ３４上に格納せずに、対応するファイル本体が格納されているメモリーカードＭＣのクラスター番号を参照先としてディレクトリーエントリーを作成する。これにより、ＲＡＭ３４に比較的サイズの大きな画像ファイル本体を記憶する必要がなくなり、ＲＡＭ３４のサイズを節約することができる。そして、アクセス応答処理でファイルアクセス指令が受信バッファー内に格納されているときには、第１実施例のステップＳ２３０に代えて、ファイルアクセス指令によって指定されたクラスター番号または指定されたファイルの参照先クラスター番号が示すメモリーカードＭＣのクラスターに記憶されている内容を返信する。その他の部分は、第１の実施の形態と同様である。
【００２９】
上記実施形態では、画像ファイルの分類を撮影年月日により分類するものとしたが、これに限定されるものではなく、付加情報（Ｅｘｉｆ情報）の一つである画像の撮影に用いたデジタルカメラの製造メーカー毎に分類するものとしたり、機種名毎に分類するものとしてもよい。また、画像ファイル以外のファイルを分類してもよく、ファイルから取得することのできる情報であれば、如何なる情報を用いてファイルを分類するものとしてもよい。
【００３０】
上記実施形態では、メモリーカードＭＣの中身を実際のものに代えて、ＲＡＭ３４上のフォルダー構成およびクラスター構成をメモリーカードＭＣの中身として通知するものとしたが、メモリーカードＭＣの中の別のフォルダーの中身として通知するものとしてもよいし、実際に存在するメモリーカードＭＣとは別の仮想上のメモリーカードの中身として通知するものとしてもよい。このようにすると、実際に存在するメモリーカードＭＣのフォルダー構成と、分類されたフォルダー構成との両方をユーザーは確認することができる。
【００３１】
上記実施形態では、プリンターユニット４０とスキャナーユニット４５とを備えるマルチファンクションプリンターとして構成するものとしたが、プリンターユニット４０だけを備えるものとしてもよいし、スキャナーユニット４５だけを備えるものとしてもよい。また、本発明のファイル管理装置は、プリンターやスキャナーに限られず、ＦＡＸ機器、ビューワーなど他の機器に適用するものとしても構わない。
【００３２】
本発明は上述した実施形態に何ら限定されることはなく、本発明の技術的範囲に属する限り種々の態様で実施し得ることはいうまでもない。
【符号の説明】
【００３３】
１０  プリントシステム、２０  ユーザーコンピューター（ユーザーＰＣ）、２１  コントローラー、２２  ＣＰＵ、２４  ＲＯＭ、２６  ＲＡＭ、２５  表示部、２６  ＵＳＢコントローラー、２６ａ  接続端子、２８  インターフェース（Ｉ／Ｆ）、３０  プリンター、３１  メインコントローラー、３２  ＣＰＵ、３３  ＲＯＭ、３４ ＲＡＭ、３５  タイマー、３６  ＵＳＢコントローラー、３６ａ  接続端子、３７  メモリカードコントローラー、３７ａ  メモリーカードスロット、３８  操作部、３９  バス、４０  プリンターユニット、４２  プリンターＡＳＩＣ、４４  プリンターエンジン、４５  スキャナーユニット、４６  スキャナーＡＳＩＣ、４８  スキャナーエンジン、５０  ＵＳＢケーブル、ＭＣ  メモリーカード。
【図１】
2011118620.tif 000003
【図２】
2011118620.tif 000004
【図３】
2011118620.tif 000005
【図４】
2011118620.tif 000006
【図５】
2011118620.tif 000007
【図６】
2011118620.tif 000008
【図７】
2011118620.tif 000009
【図８】
2011118620.tif 000010